(57)【要約】【課題】分岐領域のケーブルハンガ架設時の作業性に優れると共に、取付け、取外しが容易な分岐金具ガイドカバーを提供する。【解決手段】分岐金具ガイドカバー１を、垂直部１９と垂直部１９から左右両端へ向かって下降傾斜する水平部２１とでＴ字状に形成する。垂直部１９及び水平部２１には、その各表面１９ａ，２１ａへ、又は各裏面１９ｂ，２１ｂへ向けてそれぞれガイドするガイド面２５を設ける。また、垂直部１９には、前記挟持体７，８及びケーブルフック９が挿入される上下方向の第１の収納凹部２７と前記分岐ケーブル１７に対して上から挿入する切欠開口部３１をそれぞれ設ける一方、水平部２１には、前記分岐金具５と共にケーブル用吊線３が挿入される水平方向の第２の収納凹部２９を設け、前記第１の収納凹部２７及び第２の収納凹部２９を、Ｔ字状に形成された着脱用挿入開放口とする。【選択図】図２
2008167595.tif 000002
【特許請求の範囲】
【請求項１】
電柱と電柱の間に掛け渡されたケーブル用吊線に上下から挟みつけて固定支持する上下一対の挟持体と挟持体に支持され前記ケーブル用吊線に沿って配線された分岐ケーブルを前記ケーブル用吊線から離れていくよう分岐させるケーブルフックとを備えた分岐金具に装着して使用する分岐金具ガイドカバーであって、
前記分岐金具ガイドカバーは、垂直部と垂直部から左右両端へ向かって下降傾斜する水平部とでＴ字状に形成され、前記垂直部及び水平部には、ケーブル用吊線に沿って移動してくるケーブルハンガを前記水平部及び垂直部の各表面へ、又は各裏面へ向けてそれぞれガイドするガイド面を有すると共に垂直部には、前記ケーブルフックが挿入される下方及び裏面側が開放された上下方向の第１の収納凹部と前記分岐ケーブルに対して上から挿入可能な切欠開口部がそれぞれ設けられる一方、水平部には、前記分岐金具の挟持体と共にケーブル用吊線が挿入される裏面側が開放された水平方向の第２の収納凹部が設けられ、前記裏面側の第１の収納凹部及び第２の収納凹部は、Ｔ字状に形成された着脱用挿入開放口となっていることを特徴とするケーブル用吊線の分岐金具ガイドカバー。
【請求項２】
前記第２の収納凹部の着脱用挿入開放口の開口径はケーブル用吊線の外径と同一か若干小さい径に設定される一方、第１の収納凹部の着脱用挿入開放口の開口径はケーブルフックの外径と同一か若干小さい径に設定されていることを特徴とする請求項１記載の分岐金具ガイドカバー。
【発明の詳細な説明】
【技術分野】
【０００１】
本発明は分岐金具が設けられたケーブル用吊線に対してケーブルハンガを架設する際にその架設作業を容易にする分岐金具ガイドカバーに関する。
【背景技術】
【０００２】
従来、光ファイバケーブル等を一束化する時にケーブルハンガが用いられる。
【０００３】
ケーブルハンガには螺旋状に作られたスパイラルハンガと呼ばれるタイプがある。
【０００４】
このケーブルハンガは、ピッチの粗い螺旋状に作られていて、螺旋が連続する長尺物と短く作られたものとがある。
【０００５】
この場合、例えば、短く作られたケーブルハンガにあっては連結用コネクタを用いて継ぎ足しながら電柱と電柱の間に掛け渡されたケーブル用吊線に架設して使用される。
【０００６】
その架設作業は、例えば、ケーブル用吊線の端からケーブルハンガの一端を差込み、そのまま螺旋に沿ってケーブルハンガを１方向に回転し続け、内部にケーブル用吊線を順次取り込むことで架設される。架設されたケーブルハンガとケーブルハンガは連結用コネクタによって順次継ぎ足され、連続した螺旋状のケーブルハンガが得られるようになっている。
【０００７】
この場合、一般にはケーブル用吊線の途中には各家庭へ配線された分岐ケーブルがあるためケーブルハンガの架設作業時のネックとなっている。
【０００８】
分岐ケーブルの分岐部分は、ケーブル用吊線に固定支持された分岐金具によって分岐され、平面からみた時にＴ字状となり、ケーブルハンガをケーブル用吊線の端から順々に架設していく時の障害となる。
【０００９】
このために、分岐金具に到達するとそこで一旦切断した後、分岐金具を越えた位置で、再び新たに架設作業に入るようになる。
【００１０】
この場合、作業車を分岐金具の所まで移動する必要があるため作業に時間がかかる等作業性の面で望ましくなかった。
【００１１】
そこで、架設時の作業性に優れる新たなケーブルハンガが出願人より提案されている。
【特許文献１】意願２００５−０２９２６４号公報
【発明の開示】
【発明が解決しようとする課題】
【００１２】
新たに提案されたケーブルハンガの概要は、螺旋形状を一定方向に形成するのではなく、右回り螺旋部と左回り螺旋部が反転部を介して軸線方向に沿って交互に連なる形状となっている。
【００１３】
反転部は右回り螺旋から左回り螺旋に続く反転部と、左回り螺旋から右回り螺旋に続く反転部とからなり、反転部は螺旋部と螺旋部の間が途切れる開放空間となっている。
【００１４】
また、螺旋部は一巻き半と巻き数が少ないこともあって、ケーブルハンガの架設作業にあたり本来なら、例えば、ケーブルハンガを右回転させて右回り螺旋部の内部へケーブル用吊線を取り込み、続いて反転部をケーブル用吊線に引掛けた後、左回転させて左回り螺旋部の内部へケーブル用吊線を取り込む動作を続けることで架設されるようになるが、実際には前記した如く螺旋が一巻き半と少ないこともあって右回り用及び左回り用の各螺旋部及び反転部をケーブル用吊線に対して手前側、後側の順に交互に引掛ける動作を繰返しながらケーブルハンガをケーブル用吊線に沿ってスライド移動させ強制的に順次押し出す動作を続けることで迅速に架設することができる。
【００１５】
この架設作業時、分岐金具にケーブルハンガの先端が到達し乗り越える時に、時として分岐金具に引かかる等不具合が発生し円滑に乗り越えることができないことがあることと、また、分岐金具を乗り越える時に分岐ケーブルと接触し傷をつける恐れがあった。
【００１６】
特に、光ケーブル等の分岐ケーブルは径が細く傷をつけると重大な問題につながりかねないため早急な解決が望まれていたものである。
【００１７】
そこで、本発明にあっては分岐領域のケーブルハンガ架設時の作業性に優れると共に、取付け、取外しが容易な分岐金具ガイドカバーを提供することを目的としている。
【課題を解決するための手段】
【００１８】
前記目的を達成するために本発明にあっては、電柱と電柱の間に掛け渡されたケーブル用吊線に上下から挟みつけて固定支持する上下一対の挟持体と挟持体に支持され前記ケーブル用吊線に沿って配線された分岐ケーブルを前記ケーブル用吊線から離れていくよう分岐させるケーブルフックとを備えた分岐金具に装着して使用する分岐金具ガイドカバーであって、
前記分岐金具ガイドカバーは、垂直部と垂直部から左右両端へ向かって下降傾斜する水平部とでＴ字状に形成され、前記垂直部及び水平部には、ケーブル用吊線に沿って移動してくるケーブルハンガを前記水平部及び垂直部の各表面へ、又は各裏面へ向けてそれぞれガイドするガイド面を有すると共に垂直部には、前記ケーブルフックが挿入される下方及び裏面側が開放された上下方向の第１の収納凹部と前記分岐ケーブルに対して上から挿入可能な切欠開口部がそれぞれ設けられる一方、水平部には、前記分岐金具の挟持体と共にケーブル用吊線が挿入される裏面側が開放された水平方向の第２の収納凹部が設けられ、前記裏面側の第１の収納凹部及び第２の収納凹部は、Ｔ字状に形成された着脱用挿入開放口となっていることを特徴とする。
【発明の効果】
【００１９】
本発明の分岐金具ガイドカバーによれば、分岐ケーブルに対して上方から切欠開口部を嵌合させた後、水平方向の第２の収納凹部をケーブル用吊線に、垂直方向の第１の収納凹部を分岐金具のケーブルフックにそれぞれ対向させて嵌合し合うよう強制的に押圧することで迅速に装着を完了することができる。また、分岐金具ガイドカバーに手をかけて分岐金具及びケーブル用吊線から強制的に引き離すことで迅速に取外すことができる。
【００２０】
一方、装着時の分岐金具ガイドカバーは、分岐金具及び分岐ケーブルの分岐領域全体をカバーすると共に、ケーブル用吊線に沿って移動してくるケーブルハンガの右巻き領域、又は左巻き領域をガイド面によって水平部及び垂直部の表面側、あるいは裏面側へ向け誘導案内し、分岐ケーブルに損傷を与えることなく円滑に無理なく乗り越えることができるようになり、架設作業を容易にする。
【発明を実施するための最良の形態】
【００２１】
本発明にあっては、水平部に分岐金具の挟持体と共にケーブル用吊線を嵌合させる第２の収納凹部を、垂直部に分岐金具のケーブルフックを嵌合させる第１の収納凹部を設ける構成要素に加えて、前記第２の収納凹部の着脱用挿入開放口の開口径をケーブル用吊線の外径と同一か若干小さい径に設定する一方、第１の収納凹部の着脱用挿入開放口の開口径をケーブルフックの外径と同一か若干小さい径に設定することで、別途固定支持手段を用いなくても挿入完了時、簡単に外れることなく確実な装着状態が得られるようにする。
【実施例】
【００２２】
以下、図１から図８の図面を参照しながら本発明の実施形態について具体的に説明する。
【００２３】
図１は本発明にかかる分岐金具ガイドカバーの平面図、図２はその裏面図をそれぞれ示している。
【００２４】
分岐金具ガイドカバー１は、図５に示すケーブル用吊線３に設けられた分岐金具５に装着して使用される。
【００２５】
ここで、分岐金具ガイドカバー１の説明に入る前にケーブル用吊線３と分岐金具５について説明する。
【００２６】
ケーブル用吊線３は電柱と電柱（図示していない）の間に掛け渡された構造となっている。
【００２７】
分岐金具５は図６に示す如く前記ケーブル用吊線３に対して上下から挟みつけて固定支持する上下一対の板状の挟持体７，８と、各挟持体７，８に支持されたケーブルフック９とからなっている。
【００２８】
ケーブルフック９は、ロッド状に形成され一端は前記一対の挟持体７，８に挿入されるねじ部１１となっている。他端は鉤針状に屈曲されたフック部９ａとなっていて、前記挟持体７，８に挿入されたねじ部１１にナット１３を螺合させることで、上下一対の挟持体７，８がケーブル用吊線３を強く挟みつけた状態で接触し合い分岐金具５が固定支持されるようになっている。
【００２９】
ケーブルフック９のフック部９ａには、ケーブル用吊線３に沿って配線された分岐吊線１５が掛け通され、各家庭（図示していない）へ向けて延長配線されている。
【００３０】
分岐吊線１５は、クロージャ（図示していない）から分岐延長された家庭用の分岐ケーブル１７を配線するためのものであって、分岐ケーブル１７は分岐吊線１５に沿って配線されている。
【００３１】
一方、前記分岐金具５に装着する分岐金具ガイドカバー１は、合成樹脂の材質で作られている。
【００３２】
分岐金具ガイドカバーは、図１から図４に示すように垂直部１９とその垂直部１９から左右両端へ向かって下降傾斜する水平部２１とでＴ字状に形成されている。垂直部１９及び水平部２１には、ケーブル用吊線３に沿って移動してくるケーブルハンガ２３を前記水平部２１及び垂直部１９の各表面２１ａ，１９ａへ、又は各裏面２１ｂ，１９ｂへ向けてそれぞれガイドするガイド面２５を有している。
【００３３】
水平部２１のガイド面２５は、図４に示す如く中央部から左右両端へ向かって下降傾斜したテーパ面２５ａと水平部２１の上辺部と下辺部に設けられ表面２１ａ及び裏面２１ｂへ向けて円滑な誘導作用が働く円弧面２５−ｂからなる組合わせ形状となっている。
【００３４】
垂直部１９のガイド面２５は、図４に示す如く全体が断面角筒面に形成された両サイドに設けられ、表面１９ａ及び裏面１９ｂへ向けて円滑な誘導作用が働く断面が円弧面２５−ｃの形状となっている。
【００３５】
水平部２１及び垂直部１９の裏面２１ｂ，１９ｂ側には、Ｔ字状に形成された着脱用挿入開放口となる第１の収納凹部２７及び第２の収納凹部２９が、その外に垂直部１９には切欠開口部３１がそれぞれ設けられている。
【００３６】
始めに水平部２１側となる第２の収納凹部２９から説明すると、図２に示す如く第２の収納凹部２９は、水平部２１の裏面２１ｂ側中央部位に分岐金具５の上下一対の挟持体７，８が収まる挟持体収納部３３とその挟持体収納部３３から左右両端へ向かって延長され左右に抜ける吊線収納部３５とからなる形状となっている。
【００３７】
挟持体収納部３３は、挟持体７，８が容易に収納される大きさに作られた矩形の形状となっている。
【００３８】
吊線収納部３５の開口径は、ケーブル用吊線３の径と同一か若干小さい径に設定され断面Ｕ字状の形状で、ケーブル用吊線３の抜け止めを図る抜け止めストッパ３５ａが左右にそれぞれ設けられている。
【００３９】
これにより、吊線収納部３５内にケーブル用吊線３が挿入され収納された時にその摩擦によって容易に外れ出にくい形状となっている。
【００４０】
この場合、内部を広くして入口の径をケーブル用吊線３の径より小さくする手段としてもよい。
【００４１】
次に、第１の収納凹部２７は、前記垂直部１９の第２の収納凹部２９の中央部位に設けられた挟持体収納部３３から垂直に延長され下方に抜ける断面Ｕ字状の形状となっている。
【００４２】
第１の収納凹部２７の開口径は、分岐金具５のケーブルフック９の径と同一か若干小さい径に設定され、内部にケーブルフック９が挿入され収納された時にその摩擦によって容易に外れ出にくい形状となっている。
【００４３】
この場合、内部を広く入口径をケーブルフック９の径より小さくする手段としてもよい。
【００４４】
一方、切欠開口部３１は図３、図４に示すように垂直部１９の両サイドに設けられ、内部空間へ続く下方が切欠開放された形状となっている。切欠開口部の開口径は、分岐吊線１５及び分岐ケーブル１７に対して上方から余裕を持って挿入可能な広さに設定されている。
【００４５】
このように構成された分岐金具ガイドカバー１によれば、垂直部１９の切欠開口部を分岐ケーブル１７に対して図５仮想線で示すように差込み、続いて第１の収納凹部２７をケーブルフック９に、第２の収納凹部２９をケーブル用吊線３に対向させ、強制的に押圧することで取付が完了する。
【００４６】
取付け完了時の分岐金具ガイドカバー１は、分岐領域の分岐金具５、ケーブル用吊線３、分岐ケーブル１７をカバーする。一方、図７に示す如く、例えば、図面右側から左側へ矢印の如くケーブル用吊線３に沿って移動してくるケーブルハンガ２３の反転部２３−Ｒ及び反転部２３−Ｒに続く右巻き螺旋２３ａとは水平部２１及び垂直部１９の各表面２１ａ，１９ａへ向けて、また、図８に示す如く、反転部２３−Ｌ及び反転部２３−Ｌに続く左巻き螺旋２３ｂは水平部２１及び垂直部１９の各裏面１９ｂ、２１ｂ側へ向けてそれぞれ誘導案内する。この結果、分岐ケーブル１７に損傷を与えることなく円滑に無理なく乗り越えることができるようになる。
【００４７】
なお、ケーブルハンガ２３の架設作業完了後は、分岐領域から分岐金具ガイドカバー１を取外し、次の架設作業の所で再び使用する。
【００４８】
この場合、分岐金具ガイドカバー１を設置した据置きタイプとすることも可能である。
【図面の簡単な説明】
【００４９】
【図１】この発明にかかる分岐金具ガイドカバーの概要平面図。
【図２】分岐金具ガイドカバーの概要裏面図。
【図３】分岐金具ガイドカバーの概要側面図。
【図４】分岐金具ガイドカバーの概要底面図。
【図５】ケーブル用吊線に分岐金具が取付けられた状態を示す説明図。
【図６】分岐金具の概要説明図。
【図７】ケーブルハンガが分岐金具ガイドカバーを乗り越える動作説明図。
【図８】ケーブルハンガが分岐金具ガイドカバーを乗り越える動作説明図。
【符号の説明】
【００５０】
１    分岐金具ガイドカバー
３    ケーブル用吊線
５    分岐金具
７，８    挟持体
９    ケーブルフック
１７    分岐ケーブル
１９    垂直部
１９ａ，２１ａ    表面
１９ｂ，２１ｂ    裏面
２１    水平部
２３    ケーブルハンガ
２５    ガイド面
２７    第１の収納凹部
２９    第２の収納凹部
３１    切欠開口部
【図１】
2008167595.tif 000003
【図２】
2008167595.tif 000004
【図３】
2008167595.tif 000005
【図４】
2008167595.tif 000006
【図５】
2008167595.tif 000007
【図６】
2008167595.tif 000008
【図７】
2008167595.tif 000009
【図８】
2008167595.tif 000010